(57)【特許請求の範囲】
【請求項１】
内パネルと外パネルに挟まれた補強部材がショーケースの側面に配されたケース主要部と前記ケ−ス主要部と同様に内外パネルに挟まれた補強部材を有し、前記ケース主要部に取付けられる端壁とで構成され、前記ケ−ス主要部の前記補強部材には、凹部が設けられ、前記端壁には、前記ケ−ス主要部の補強部材の凹部に嵌合する凸部を有する補強部材が設けられたショーケースにおいて、
前記端壁の補強部材の凸部の内側に、前記端壁の内パネルの縁を受け入れるスリットを設けたことを特徴とするショーケース。
【請求項２】
ショーケース本体側面に配設され凸部又は凹部を有するケ−ス主要部と、前記ケ−ス主要部に嵌合するための凹部又は凸部を有する端壁とで構成されるショーケースにおいて、
前記ケ−ス主要部の端部の底面に外側に突出し、前記端壁の下面を受けて位置決めする突片を設けたことを特徴とする記載のショーケース。
【請求項３】
前記ケ−ス主要部及び前記端壁の補強部材には断熱材の充填側に開口した窪みが設けられ、該窪みに断熱材が充填されることを特徴とする請求項１に記載のショーケース。
【請求項４】
前記ケ−ス主要部は一端の前記補強部材に前記凸部を有し且つ他端の前記補強部材に前記凹部を有し、他の同様なケ−ス主要部との嵌合連結を可能としたことを特徴とする請求項２に記載のショーケース。
【請求項５】
前記ケ−ス主要部の前記補強部材は前記凹部を有し、前記凹部に取付けられて前記凹部を前記凸部に構成するための変換部材を介することにより、他の同様なケ−ス主要部との嵌合連結を可能としたことを特徴とする請求項２に記載のショーケース。
【請求項６】
前記変換部材を片側が扁平な６角形の横断面を有する棒状の部材として形成させ、その扁平でない側が凹部に沿って嵌め込んだ上、ネジによって固定することを特徴とする請求項５に記載のショーケース。」
【発明の詳細な説明】
【０００１】
【発明の属する技術分野】
本発明は冷凍もしくはショーケースに関し、とくに上面に商品出し入れ用の開口部を有する所謂平型ショーケースなどの本体における端壁の取付構造の改良に関する。
【０００２】
【従来の技術】
従来、オ−プンショーケースとして、例えば図８及び図９に示すものが知られている。この種のショーケースでは、その本体は図８に示すように、上面及び両端面が開いたケース主要部１と、該ケース主要部の開いた端面に外側からビス３によって取付けられる端壁２によって構成され、これらの部材はそれぞれ内外パネルとその間に充填される断熱材からなる。即ち、図９に示すように、ケース主要部１は内パネル１ａと外パネル１ｂ及びその間に充填されるウレタン発泡材などの断熱材１ｃからなり、さらにケース主要部１にはその両端の両側のパネル１ａ、１ｂ間に、通常、木材からなる補強部材４が設置される。また、端壁２も内パネル２ａと外パネル２ｂ及びその間に充填される発泡材などの断熱材２ｃからなる。
【０００３】
従って、ショーケース本体は多くの場合、発泡パネルとして構成される断熱壁によって構成される。なお、図には省略されているが、ケース本体内にはダクト板や仕切板等が設置され、冷気流及び保護気流の循環ダクト及び商品収納庫が区画形成される。端壁２がケース主要部１に取付けられた状態では、ケース主要部１の概してＵ字状の端面に端壁２の内パネル２ａの両側と下部が密着し、従って両側の部分では補強部材４の外側に向いた平らな面に端壁２の内パネル２ａの側部が密着し気密性を保つように構成される。
【０００４】
【発明が解決しようとする課題】
このように、従来のショーケース本体の端壁２はケース主要部１の平面に対しその平面が接触した状態で取付けられたため、取付時の端壁２の左右及び上下の位置決めが容易でなく、作業性の点で好ましくなかった。また、従来のショーケースでは補強部材４の在る位置の外パネル２ｂの区域に露付きが生じることもあり、その部分の断熱性に問題があった。
【０００５】
本発明の目的は上記従来技術の問題点を解消することであって、それ故、ケース本体の端壁の位置決めを容易にしてショーケース本体の組立時の作業性をすぐれたものにし、及び一層すぐれた断熱性を有するショーケースを提供することである。
【０００６】
【課題を解決するための手段】
上記本発明の目的を達成するため、本発明によるショーケースは、内外パネル間に断熱材が充填され且つ両端部の両側に補強部材が設けられた上面及び両端が開いたケース主要部と該ケース主要部の端部に取付けられる端壁とで構成される前記端壁の取付構造において、ケース主要部の補強部材には縦方向の凸部又は凹部が設けられ、端壁の両側にはケース主要部の補強部材の凸部又は凹部に嵌合する縦方向の凹部又は凸部を有する補強部材が設けられていることを特徴とし、端壁の各補強部材の凸部又は凹部がケース主要部の補強部材の凹部又は凸部に嵌合することによって端壁が位置決めされる。
【０００７】
本発明の好ましい態様では、ケース主要部の補強部材には凹部が設けられ且つ端壁の補強部材には凸部が設けられ、及びその凸部の内側に端壁の内パネルの縁を受け入れるスリットが設けられていることを特徴とし、このスリットにより該内パネルを位置決めし且つ固定する。本発明の他の好ましい態様では、ケース主要部の端部の底面に外側に突出し、端壁の下面を受けて位置決めする突片が設けられていることを特徴とし、この突片により端壁の上下方向の位置決めを行なう。
【０００８】
本発明の別の好ましい態様では、ケース主要部及び端壁の補強部材には断熱材の充填側に開口した窪みが設けられ、該窪みに断熱材が充填されることを特徴とし、それによって補強部材の断熱性を向上している。本発明のさらに別の好適な態様では、ケース主要部はその一端の補強部材に凸部を有し且つ他端の補強部材に凹部を有することを特徴とし、その凹部又は凸部と他の同じ構造のショーケースの凸部又は凹部と嵌合し得るようになっている。本発明のさらに他の好ましい態様では、ケース主要部の両端面の補強部材は凹部を有し、且つ前記凹部に取付けられて該凹部をそれに嵌合する凸部に構成するための変換部材を含むことを特徴とし、この変換部材により凹部対凹部の連結を可能にする。
【０００９】
【発明の実施の形態】
次に図面を参照のもとに実施例により本発明を詳細に説明する。図１及び図２に示すように、本発明が関連するショーケース本体は上面及び両端面が開いたケース主要部１０と、該ケース主要部の各端面に取付けられる端壁２０によって構成され、それぞれ内外パネル間に断熱材が充填された断熱壁として形成される。即ち、ケース主要部１０は適当な間隔で備えられた内パネル１１と外パネル１２及びその間の断熱材１３からなり、さらに各端部の両側における前記パネル間に設けられた補強部材１４を含む。
【００１０】
また、端壁２０も適当な間隔で備えられた内パネル２１と外パネル２２及びその間に充填された断熱材２３からなり、及び該端壁の両側には少なくも１部が前記パネル間に設けられた補強部材２４を含む。これらのパネル１１、１２、２１、２２としては例えばステンレス板が用いられ、断熱材１３、２３はウレタン発泡材などで形成される。また、補強部材１４、２４としては樹脂、例えばポリスチレン発泡押出による合成木材が用いられる。
【００１１】
本発明による端壁２０の取付構造の好適な形態では、図１及び図２に見られるように、ケース主要部１０の端部の両側の補強部材１４の外側面、即ち端壁２０が取付けられる面に、縦方向の凹部１５が設けられ、及び端壁２０の両側の補強部材２４の内側面、即ちケース主要部１０の端部に取付けられる面に、該凹部１５に嵌合する縦方向の凸部２５が設けられ、従って各凸部２５が対応の凹部１５に嵌合することによって端壁２０がケース主要部１０に取付けられる。なお、端壁２０の固定は従来と同様にビス６によって行なわれるが、該ビスはケース本体の内側から取付けられ、このようにビス６を内側から取付けることによって意匠上すぐれたものにしている。
【００１２】
各補強部材１４、２４が合成木材で形成されるため、それらの凹部１５又は凸部２５が容易且つ正確に形成されると共に、例えば木材製の補強部材に比し断熱性の点ですぐれているが、さらに図２（イ）及び（ロ）に示すように、補強部材１４の凹部１５の在る側の反対側に、即ち断熱材１３の充填側に開口した窪み１６を形成するのが好ましく、この窪み１６に断熱材１３が充填されることによって補強部材１４の断熱性を一層すぐれたものにし、補強部材１４に接する外パネル１２の区域における露付きを防ぐ利点がある。また同様に、端壁２０の補強部材２４のパネル間の内側の面、即ち断熱材２３の充填側に開口した面にも断熱材２３が充填される窪み２６が形成されるのが好ましい。
【００１３】
端壁２０をケース主要部１０に取付ける際は、端壁２０の両側の補強部材２４の凸部２５がケース主要部１０の対応の補強部材１４の凹部１５に嵌合されるので、ケース主要部１０に対する端壁２０の左右の位置決めが容易になる。各凸部２５を凹部１５に嵌合した上、端壁２０の上下方向の位置決めを行なった後、ビス６で端壁２０が固定される。なお、図１及び図２の例では、ケース主要部１０に凹部１５が、且つ端壁２０に凸部２５が設けられているが、場合によっては逆に、ケース主要部１０に凸部を、それに嵌合する凹部を端壁２０の側に設けてもよく、そのようにしても同様に位置決めを容易にし、同じ効果が得られる。
【００１４】
上記のように、凹部１５とそれに嵌合する凸部２５はいずれの側に設けてもよいが、好ましくは図１に示すように、ケース主要部１０の補強部材１４に凹部１５が設けられ且つ端壁２０の補強部材２４に凸部２５が設けられると共に、図２（ロ）に示すように、凸部２５の内側に該凸部に沿ってスリット２７が形成され、該スリットに端壁２０の内パネル２１の縁を受け入れるように構成される。従って、このスリット２７を設けることにより内パネル２１の取付けを容易にし、且つ内パネルの固定を強固にする。
【００１５】
また好ましくは、図１に示すように、ケース主要部１０の端部の底面には外側に水平に突出する突片１７が設けられ、該突片によって端壁２０の下面を受け、従って端壁２０を上下方向に位置決めするようになっている。このような突片１７は好ましくは図示のように、ケース主要部の端部の底面に一対が設けられる。
【００１６】
このショーケースが単品で用いられる場合、従ってケース本体の両端部に端壁２０が取付けられる場合、図３に示すように、ケース主要部１０の両端部の補強部材１４に凹部１５が設けられ、各端壁２０の補強部材２４に凸部２５が設けられるのが好ましく、このような構成により凸部２５にスリット２７を設けて、そこに内パネル２１の縁を嵌め込むことができる利点がある。
【００１７】
しかし、所望により、図４に示すように、ケース主要部１０はその一端の補強部材１４に凹部１５が設けられ且つ他端の補強部材１４に凸部１５ａが設けられてもよい。この場合、補強部材２４に凸部２５を有する端壁２０がケース主要部１０の前記一端に取付けられ、及び前記他端には補強部材２４に凹部２５ａを有する端壁２０が取付けられる。なお、ケース主要部の補強部材１４の前記凸部１５ａは同じ構造の他のショーケースのケース主要部の補強部材１４の凹部１５に嵌合し得るようになっている。
【００１８】
このようにケース主要部１０の一端に凸部１５ａを、他端に凹部１５を備えることによって、図５に示すように、一つのショーケースのケース主要部１０の凸部１５ａの在る端部に、他のショーケースのケース主要部１０の凹部１５の在る端部を、それらの凸部１５ａと凹部１５を嵌合することによって適切に連結することができ、且つその嵌合構造によって継目の気密性も好適に保持し得る。
【００１９】
また、図３に示すように、ケース主要部１０の両端部の補強部材１４に凹部１５が設けられる場合、図６に示すように、後記作用を有する変換部材７を介在させることによって同じ構造のショーケースのケース主要部１０を互いに連結することが可能になる。即ち、変換部材７は一方のケース主要部１０の補強部材の凹部１５に取付けられることによって、該凹部に嵌合し得る凸部１５ａと同様な凸部を構成する役割を果たすものである。
【００２０】
この変換部材７は図７に示すように、一例では片側が扁平な６角形の横断面を有する棒状の部材として形成され、その扁平でない側が凹部１５に沿って嵌め込まれた上、ネジ８によって固定される。凹部１５に変換部材７が固定された状態は凸部１５ａと概略同じ形状になり、従って他のショーケースのケース主要部１０の凹部１５に嵌合し、ケース主要部相互の連結を可能にする。
【００２１】
なお、本発明は例えば所謂平型ショーケースなど、ケース主要部の上面と両端部が開いたものであって、オ−プン型のもの又は上面開口部がガラス板で被われたもののいずれにも好適に適用することができるが、それに類似のショーケースにも適用し得ることは明らかであり、従って必ずしも平型ショーケースに限定されるものではない。また、ここでいう凸部１５ａ、２５及び凹部１５、２５ａは嵌合形状の一例を示すに過ぎないものであって、ここで例示したもの以外の凸部及び凹部の形状であってもよいことは云うまでもない。
【００２２】
【発明の効果】
本発明によるショーケースでは、ケース主要部に対する端壁の取付けがそれぞれの端部に備えられた補強部材の凹部と凸部の嵌合によって行なわれるので、該端壁の位置決めが容易であり、従って組立作業の作業性を向上する。また、嵌合によるため取付部の気密性が高められる。
【００２３】
さらに、ケース主要部の端部の補強部材に凹部が設けられ且つ端壁の補強部材に凸部が設けられると共に、該凸部の内側に設けられたスリットに該端壁の内パネルの縁を挿入するように構成することにより、端壁の位置決めを容易にすると共に、該内パネルの取付けを容易にし、一層作業性を向上する。
【００２４】
ケース主要部に対する端壁の取付けを凹、凸部による嵌合によって行なうと共に、ケース主要部の端部の底面に外側に水平に突出して端壁の下面を受ける突片を設けることにより、端壁の左右の位置決めと共に、上下方向の位置決めを可能にし、作業性を著しく向上する。
【００２５】
また、ケース主要部と端壁の各補強部材に断熱材の充填側に開口した窪みが設けられることにより、該窪みに断熱材が充填されるので補強部材の断熱性を向上し、補強部材に接する外パネルの区域の露付きを防ぐことができる。
【００２６】
ケース主要部と端壁との凹、凸部による嵌合に加え、ケース主要部の一端の補強部材に該凸部を、他端の補強部材に該凹部を設けることにより、他の同じケース主要部との連結を容易且つ適切に可能にし、このショーケースを使い易いものにする。
【００２７】
ケース主要部と端壁との凹、凸部による嵌合に加え、ケース主要部の両端の補強部材に該凹部を設け、該凹部に取付けられて該凹部を該凸部に構成する変換部材を介在させることにより、他の同様なケース主要部との連結を容易且つ適切に可能にし、このショーケースを使い易いものにする。
【図面の簡単な説明】
【図１】本発明の一例によるショーケースを部分的に示す分解斜視図である。
【図２】（イ）は図１に示すショーケースのケース主要部の端部の補強部材の区域の横断面図、（ロ）は同端壁の補強部材の区域の横断面図である。
【図３】図１に示す一例の概略的な分解平面図である。
【図４】他の実施例を示す概略的な分解平面図である。
【図５】図４に示すショーケースのケース主要部が互いに連結される状態を示す概略的な平面図である。
【図６】図３に示すショーケースのケース主要部が変換部材を介して互いに連結される状態を示す概略的な平面図である。
【図７】変換部材によって連結された状態を示す部分的な横断面図である。
【図８】従来のショーケースを示す部分的な分解斜視図である。
【図９】（イ）は従来のショーケースのケース主要部の端部の補強部材の区域の横断面図、（ロ）は同端壁の補強部材の区域の横断面図である。
【符号の説明】
１０：ケ−ス主要部、１１：内パネル、１２：外パネル、１３：断熱材、１４：補強部材、１５：凹部、１５ａ：凸部、１６：窪み、１７：突片、２０：端壁、２１：内パネル、２２：外パネル、２３：断熱材、２４：補強部材、２５：凸部、２５ａ：凹部、２６：窪み、２７：スリット、７：変換部材
【図１】
0003822326.tif 000002
【図２】
0003822326.tif 000003
【図３】
0003822326.tif 000004
【図４】
0003822326.tif 000005
【図５】
0003822326.tif 000006
【図６】
0003822326.tif 000007
【図７】
0003822326.tif 000008
【図８】
0003822326.tif 000009
【図９】
0003822326.tif 000010